(57)【要約】      （修正有）【課題】裾の垂れ下がりを抑え、座位のまま自在に着脱を可能とするふくらはぎを覆う機能を備えたひざかけを提供する。【解決手段】平面矩形状に形成され、幅方向両縁部には長さ方向中央部に、長さ方向に沿って幅方向両縁部を収縮させうる帯状の伸縮部材であるゴム３が設けられている。ゴム３は、伸縮された状態で固定されている。幅方向両縁部には、両縁部を幅方向に沿って係合させうる係合部となる面ファスナー４，６が設けられている。面ファスナー４，６は、ゴム３に隣接して設けられている。【選択図】図１
0003191269.tif 000002
【実用新案登録請求の範囲】
【請求項１】
両横中央部または両横全体を縮める収縮機能を備えたことを特徴とするひざかけ。
【請求項２】
前記収縮機能として、ゴムまたは紐が備えられていることを特徴とする請求項１に記載のひざかけ。
【請求項３】
前記被保温脚の膝下部分を覆う被覆機能を備えたことを特徴とする請求項１または請求項２に記載のひざかけ。
【請求項４】
前記被覆機能は自在に解除できることを特徴とする請求項３に記載のひざかけ。
【請求項５】
前記被覆機能として、面ファスナー付留めベルトを設けたことを特徴とする請求項４に記載のひざかけ。
【請求項６】
前記留めベルトは伸縮可能な形態とすることを特徴とする請求項５に記載のひざかけ。
【考案の詳細な説明】
【技術分野】
【０００１】  本考案は、垂れ下がりを防止し、ふくらはぎ側まで保温できるひざかけに関する。
【背景技術】
【０００２】  従来、ひざかけのずり落ち防止の為、布の上部にゴムや紐を取り付ける方法が提案されている。例えば特許文献１ではウエストに紐をつけた方法が開示されている。また特許文献２ではふくらはぎ側まで保温出来るように布の形をハ字状にして下半身を包み込む方法が開示されている。
【先行技術文献】
【特許文献】
【０００３】
【特許文献１】登録実用新案第３１４３０３９号公報
【特許文献２】特許公開平１０−４６４１０号公報
【考案の概要】
【考案が解決しようとする課題】
【０００４】  従来のひざかけは平面的であるため、膝にかけると裾の両脇が垂れ下がり、地面や床に裾をひきずりひざかけを汚すことがあった。更に車椅子に乗った状態では、車輪にひざかけが巻き込まれ転倒などの事故に繋がる恐れがあった。またふくらはぎ側を覆うようにしたひざかけでは、座位のままでの着脱に手間がかかっていた。【０００５】  本考案の目的は、裾の垂れ下がりを抑え、座位のまま自在に着脱を可能とするふくらはぎを覆う機能を備えたひざかけを提供することにある。
【課題を解決するための手段】
【０００６】  本考案によれば、両横中央部または両横全体を縮める収縮機能と、また前記収縮機能として、ゴムまたは紐を備え、また前記被保温脚の膝下部分を覆う被覆機能と、また前記被覆機能は自在に解除でき、また前記被覆機能として面ファスナー付留めベルトを設け、また前記留めベルトは伸縮可能な形態とする、これら機能を備えたことを特徴とするひざかけが提供される。
【考案の効果】
【０００７】  本考案によれば、裾の垂れ下がりを抑え、座位のまま自在に着脱を可能とするふくらはぎを覆う機能を備えたひざかけを提供することができる。
【図面の簡単な説明】
【０００８】
【図１】本考案の平面展開図
【図２】本考案の使用状態を示す側面図
【図３】本考案の使用状態を示す背面図
【図４】面ファスナー付留めベルトの断面図
【考案を実施するための形態】
【０００９】  図１は、本考案の一実施形態に係わるひざかけ１の平面展開図である。ひざかけ１には、腰から足首まで覆われる位の大きさの布２を使用し、両横中央の縁に沿ってゴム３を設けて長さを縮め、布２の垂れ下がりを抑える。本実施形態では収縮機能としてゴム３を設けたが、紐を用いて布２を縮める構造としても良い。前記収納機能の下には面ファスナー４を備えた面ファスナー付留めベルト５を設け、向かい側には面ファスナー４と密着させる相対面ファスナー６が備えられ、ふくらはぎの被覆の着脱が自在に出来るようになっている。
【００１０】  図２は、椅子７に座っている人８が本考案のひざかけ１を使用している状態の側面図である。ゴム３で布２の両横端部を収縮させることで垂れ下がりを抑えている。本実施形態では椅子に座っている場合であるが、車椅子に座っている場合でも良く、また座位であればどんなものに座っていても良い。
【００１１】  図３は、椅子７を省略した図２の背面図であり、図１に記載の面ファスナー４と相対面ファスナー６を密着させることにより布２がふくらはぎを覆い、膝下全体が保温される。
【００１２】  図４は、面ファスナー付留めベルト５の断面図である。ベルト用布９に面ファスナー４を備え、更に面ファスナー４を留めた際の脚の可動域を広げるため、ベルト用ゴム１０を備え伸縮可能としている。
【符号の説明】
【００１３】１  ひざかけ
２  布
３  ゴム
４  面ファスナー
５  面ファスナー付留めベルト
６  相対面ファスナー
７  椅子
８  人
９  ベルト用布
１０  ベルト用ゴム
【図１】
0003191269.tif 000003
【図２】
0003191269.tif 000004
【図３】
0003191269.tif 000005
【図４】
0003191269.tif 000006
【手続補正書】
【提出日】平成26年3月18日(2014.3.18)
【手続補正１】
【補正対象書類名】実用新案登録請求の範囲
【補正対象項目名】全文
【補正方法】変更
【補正の内容】
【実用新案登録請求の範囲】
【請求項１】
平面矩形状に形成され、幅方向両縁部には長さ方向中央部に、長さ方向に沿って幅方向両縁部を収縮させうる帯状の伸縮部材が設けられていることを特徴とするひざかけ。
【請求項２】
前記伸縮部材は伸縮ゴムにより形成され、伸縮された状態で固定されていることを特徴とする請求項１記載のひざかけ。
【請求項３】
幅方向両縁部には、両縁部を幅方向に沿って係合させうる係合部が設けられていることを特徴とする請求項１記載のひざかけ。
【請求項４】
前記係合部は、前記伸縮部材に隣接して設けられていることを特徴とする請求項３記載のひざかけ。
【手続補正２】
【補正対象書類名】明細書
【補正対象項目名】０００６
【補正方法】変更
【補正の内容】
【０００６】  以上の課題を解決するために、平面矩形状に形成された布の幅方向両縁部において長さ方向中央部に長さ方向に沿って伸縮部材を設け、その伸縮部材として帯状の伸縮ゴムを設け伸張した状態で固定することにより、幅方向両縁部を収縮させる。また幅方向両縁部には前記伸縮部材に隣接して、両縁部を幅方向に沿って係合させうる係合部を設けることを特徴とするひざかけが提供される
【手続補正３】
【補正対象書類名】明細書
【補正対象項目名】０００８
【補正方法】変更
【補正の内容】
【０００８】
【図１】本考案の平面図
【図２】本考案の使用状態を示す側面図
【図３】本考案の使用状態を示す背面図
【図４】本考案の係合部の断面図
【手続補正４】
【補正対象書類名】明細書
【補正対象項目名】０００９
【補正方法】変更
【補正の内容】
【０００９】  図１は本考案の一実施形態を示すひざかけ１の平面図である。ひざかけ１には腰から足首まで覆われるくらいの平面矩形状の布２を使用し、幅方向両縁部の長さ方向中央部に帯状の長さ２５〜３０ｃｍの伸縮ゴム３を伸張した状態で固定し、幅方向両縁部を収縮させる。本実施形態ではゴムを設けたが他の伸縮部材があればそれでもよい。また前記伸縮ゴム３の固定位置に隣接させて、係合部５と係合部６を設ける。係合部５には面ファスナー４を備え、係合部６に備えた面ファスナーと係合出来るようにする。
【手続補正５】
【補正対象書類名】明細書
【補正対象項目名】００１０
【補正方法】変更
【補正の内容】
【００１０】  図２は椅子７に座っている人８が本実施形態のひざかけ１を使用している状態の側面図である。帯状の伸縮ゴム３を設けたことで布２の幅方向両縁部が長さ方向に沿って収縮され裾の垂れ下がりを抑えている。図２は椅子７に座っている場合であるが、車椅子に座っている場合でも良い。
【手続補正６】
【補正対象書類名】明細書
【補正対象項目名】００１１
【補正方法】変更
【補正の内容】
【００１１】  図３は椅子７を省略した図２の背面図で、図１に記載の係合部５と係合部６を係合した状態である。これにより布２がふくらはぎを覆い、膝下全体が保温される。また座位のまま自在に係合の解除ができ、ひざかけ１を着脱できる。本考案の実施形態では係合部５を設けたが、布２の横幅が広い場合は布２に直に面ファスナーを設けてもよい。
【手続補正７】
【補正対象書類名】明細書
【補正対象項目名】００１２
【補正方法】変更
【補正の内容】
【００１２】  図４は本実施形態の係合部５の断面図である。係合部布９は、５〜７ｃｍの伸縮ゴム１０を伸張した状態で固定し、その先端に面ファスナー４を設ける。伸縮ゴム１０を固定したことにより係合した時の脚の可動域を広げることができる。
【手続補正８】
【補正対象書類名】明細書
【補正対象項目名】００１３
【補正方法】変更
【補正の内容】
【００１３】１  ひざかけ
２  布
３  伸縮ゴム
４  面ファスナー
５  係合部
６  係合部
７  椅子
８  人
９  係合部布
１０  伸縮ゴム